(57)【要約】      （修正有）【課題】使用に便利であり、物理的・化学的安全性に優れた漂白剤の提供。【解決手段】非水性有機溶媒、及び０．１〜１００μｍの平均直径を有する固体状の過酸化物と、０．１〜１００μｍの平均直径を有するシリカからなる無機物を含み、非水性有機溶媒と無機物は、１：０．６〜１：２の重量比で存在して、過酸化物と前記シリカは、６５０：１〜７：１の重量比で存在する、液体漂白剤組成物。非水性有機溶媒は、ポリアルキレングリコール、多価アルコール、アルキレングリコール、モノアルキルエーテル等が好ましく、固体状の過酸化物は、過炭酸塩、過ホウ酸塩、過硫酸塩及び過酸化尿素が好ましい液体漂白剤組成物。より好ましくは非水性有機溶媒が平均分子量４００〜６０００のポリエチレングリコールである液体漂泊剤組成物。更に、脂肪酸、架橋されたアクリルポリマー、カルボキシメチルセルロース等から選択される補助増粘剤を含む、液体漂白剤組成物。【選択図】なし【特許請求の範囲】
【請求項１】
非水性有機溶媒；及び
０．１ないし１００ｕｍの平均直径を有する固体状の過酸化物と、０．１ないし１００ｕｍの平均直径を有するシリカからなる無機物を含むものの、
前記非水性有機溶媒と前記無機物は、１：０．６ないし１：２の重量比で存在して、
前記過酸化物と前記シリカは、６５０：１ないし７：１の重量比で存在する、
液体漂白剤組成物。
【請求項２】
前記固体状の過酸化物は、過炭酸塩（ｐｅｒｃａｒｂｏｎａｔｅ）、過ホウ酸塩（ｐｅｒｂｏｒａｔｅ）、過硫酸塩（ｐｅｒｓｕｌｆａｔｅｓ）及び過酸化尿素（ｕｒｅａ  ｐｅｒｏｘｉｄｅ）から選択されるいずれかである、
請求項１に記載の液体漂白剤組成物。
【請求項３】
前記非水性有機溶媒は、ポリアルキレングリコール、多価アルコール、アルキレングリコール、モノアルキルエーテル、アルキルエステル及びアルキルアミドから選択されるいずれかである、
請求項１に記載の液体漂白剤組成物。
【請求項４】
前記非水性有機溶媒は、平均分子量４００ないし６０００の範囲のポリエチレングリコールである、
請求項１に記載の液体漂白剤組成物。
【請求項５】
前記液体漂白剤組成物は、脂肪酸、架橋されたアクリルポリマー、カルボキシメチルセルロース、ポリビニルアルコール、ポリビニルピロリドン及びポリアクリル酸ナトリウムから選択されるいずれかの補助増粘剤をさらに含む、
請求項１に記載の液体漂白剤組成物。
【請求項６】
前記脂肪酸は、Ｃ１０ないしＣ１８の飽和または不飽和脂肪酸の中から選択された２種以上の混合物である、
請求項５に記載の液体漂白剤組成物。
【請求項７】
前記液体漂白剤組成物は、酸化防止剤、着色剤、蛍光増白剤、汚物沈澱防止剤、洗浄酵素及び香料から選択されるいずれかの添加剤をさらに含む、
請求項１に記載の液体漂白剤組成物。
【発明の詳細な説明】
【技術分野】
【０００１】
本発明は、液体漂白剤組成物に関し、より具体的には、過酸化物粒子の大きさを調節することで、液体内の粒子沈降を最小化した低粘度の漂白剤に関する。
【背景技術】
【０００２】
洗剤の成分として使用される漂白剤は、大きく塩素系漂白剤と酸素系漂白剤とがあり、最近、酸素系漂白剤の使用量が増えつつある。
【０００３】
塩素系漂白剤は、漂白力は高いものの、衣類を漂白する際、カラー衣類を変色させるか纎維構造を破壊するなどの問題がある。また、使用時、人体に有害な塩素の発生で不愉快な臭いを発生する問題点がある。
【０００４】
酸素系漂白剤は、形態によって大きく液体漂白剤と粉末漂白剤に分けられる。
【０００５】
現在市販されているほとんどの酸素系漂白剤は、過炭酸ソーダまたは過ホウ酸ソーダ等を使用した粉末漂白剤であって、これらは常温水や、特に冷水にほとんど溶けない短所がある。さらに、粉末漂白剤を製造する際に各固体成分間の均一な混合が困難であり、粉末漂白剤を使用する場合は、粉塵が発生するなどの不便さがあり、特に、保管時に大気中の水を吸収する場合は化学的に分解されて酸素を発生させるという短所がある。
【０００６】
しかし、最近液体漂白剤は、粉末漂白剤の製品より使用に便利であり、消費者に好まれる傾向である。液体漂白剤は、粉末漂白剤より計量しやすいし、水に早く溶けて粉塵が発生せず、保管時に化学的分解現象が起こるか、粉末漂白剤においてよく発生するケーキング（ｃａｋｉｎｇ）現象がないという長所がある。
【０００７】
従来は、過酸化水素を漂白剤の成分とする液体漂白剤を使用したが、前記過酸化水素を利用した液体漂白剤は、保管時に過酸化水素の分解によって保管容器が膨脹するか漂白力が低下するなどの問題がある。
【０００８】
また、液体漂白剤の化学的安定度を高めるために組成物の粘度を高める従来の方法も、保管中に過酸化水素の分解によって組成物の粘度が変わり、商業化が困難である問題点がある。
【０００９】
したがって、水気がほとんど存在しない溶媒からなる漂白剤であって、化学的安全性を保障すると共に、増粘剤を添加して物理的安全性も確保する液体漂白剤を開発する必要が生じてきた。
【００１０】
また、常温においても液体の低粘度状態を維持し、取り扱いがさらに容易であり、使用に便利である低粘度の漂白剤の開発が必要な実情である。
【発明の概要】
【発明が解決しようとする課題】
【００１１】
本発明は、使用に便利であり、物理的・化学的安全性に優れた漂白剤を開発するためのものであって、非極性で水に溶けやすい特定有機溶媒と、固体状増粘剤であるシリカ及び固体状の過酸化物を含む液体漂白剤組成物を提供することを目的にする。
【００１２】
また、上述した固体状の過酸化物及びシリカの平均粒子の大きさを０．１ないし１００ｕｍに調節することで、粒子沈降を最小化して液体の低粘度状態を維持できる発明を提供することを目的にする。
【課題を解決するための手段】
【００１３】
上述した技術的課題を解決するため本発明の一側面によれば、非水性有機溶媒及び０．１ないし１００ｕｍの平均直径を有する固体状の過酸化物と、０．１ないし１００ｕｍの平均直径を有するシリカからなる無機物を含む液体漂白剤組成物が提供される。
【００１４】
ここで、前記非水性有機溶媒と前記無機物は、１：０．６ないし１：２の重量比で存在して、前記過酸化物と前記シリカは、６５０：１ないし７：１の重量比で存在することが好ましい。
【００１５】
ここで、固体状の過酸化物は、過炭酸塩（ｐｅｒｃａｒｂｏｎａｔｅ）、過ホウ酸塩（ｐｅｒｂｏｒａｔｅ）、過硫酸塩（ｐｅｒｓｕｌｆａｔｅｓ）及び過酸化尿素（ｕｒｅａ  ｐｅｒｏｘｉｄｅ）から選択されるいずれかである。
【００１６】
非水性有機溶媒は、ポリアルキレングリコール、多価アルコール、アルキレングリコール、モノアルキルエーテル、アルキルエステル及びアルキルアミドから選択されるいずれかであって、ポリアルキレングリコールの中でも、平均分子量が４００ないし６０００の範囲のポリエチレングリコールを使用することが好ましいし、さらに好ましくは、分子量が異なる２以上のポリエチレングリコールを混合して使用して、このとき、分子量４００ないし２０００の低分子量ポリエチレングリコールと分子量２０００ないし６０００の高分子量ポリエチレングリコールを重量比９：１ないし１：１で混合した非水性有機溶媒であってもよい。
【００１７】
固体状増粘剤としては、平均粒子の大きさが０．１ないし１００ｕｍの範囲以内であるシリカが使用されるが、ここに脂肪酸、架橋されたアクリルポリマー、カルボキシメチルセルロース、ポリビニルアルコール、ポリビニルピロリドン及びポリアクリル酸ナトリウムから選択されるいずれかである補助増粘剤をさらに含む。
【００１８】
このとき、脂肪酸は、Ｃ１０ないしＣ１８の飽和または不飽和脂肪酸の中から選択された２種以上の混合物である。
【００１９】
本発明の一実施例による液体漂白剤は、水分含量は１．０重量％以下、好ましくは０．５重量％以下であり、粘度は１，０００ないし５０，０００ｃｐｓ（せん断速度（ｓｈｅａｒ  ｒａｔｅ）２０ｓｅｃ−１
ａｔ ５０℃）であって、漂白剤組成物のうち固体状の過酸化物及びシリカが液体成分中に分散されて、サスペンション（ｓｕｓｐｅｎｓｉｏｎ）を成していることを特徴とする非水性（ｎｏｎ−ａｑｕｅｏｕｓ）酸素系漂白剤である。
【発明の効果】
【００２０】
本発明によれば、非極性で水に溶けやすい特定有機溶媒と、シリカ及び固体状の過酸化物を含むことで、取り扱い・使用に便利であり、物理的・化学的安全性に優れた漂白剤組成物を提供することができる。
【００２１】
また、本発明によれば、固体状の過酸化物及びシリカの平均粒子の大きさを０．１ないし１００ｕｍに調節することで、粒子沈降を最小化して低粘度状態が維持される液体漂白剤組成物を提供することができる。
【発明を実施するための形態】
【００２２】
本発明の利点及び特徴、またそれらを達する方法は、後述の実施例らを参照すれば明確になる。しかし、本発明は、以下に開示する実施例らに限定されるものではなく、異なる多様な形態に具現されるものであり、但し、本実施例らは、本発明の開示を完全にさせて、本発明が属する技術分野で通常の知識を有する者に発明の範疇を完全に知らせるために提供されるものであって、本発明は請求項の範疇によって定義されるだけである。
【００２３】
以下、本発明による液体漂白剤組成物について詳説する。
【００２４】
本発明の一側面による液体漂白剤組成物は、固体状の過酸化物、非水性有機溶媒及びシリカを含む。
【００２５】
このとき、有機溶媒と過酸化物及びシリカからなる無機物は、１：０．６ないし１：２の範囲内に存在することが好ましい。
【００２６】
上述した範囲から脱して無機物がさらに少なくなる場合は、漂白の効果が足りないし、その量が多くなる場合は、液体漂白剤の流れ性低下によって使用に不便さをもたらすことがある。
【００２７】
無機物を構成する過酸化物及びシリカは、６５０：１ないし７：１の重量比で存在することが好ましい。
【００２８】
上述した範囲から脱してシリカが少ない量で存在する場合は、粘性が足りないし、層分離現象が起こり、分散安全性及び剤型安全性を確保することができない。
【００２９】
逆に、多すぎる量のシリカが存在する場合は、過度な粘性によりネバネバのペースト状となり、使用が容易でなくなる問題が発生する。
【００３０】
固体状の過酸化物は、過酸化水素を形成することのできる物質であって、過炭酸塩（ｐｅｒｃａｒｂｏｎａｔｅ）、過ホウ酸塩（ｐｅｒｂｏｒａｔｅ）、過硫酸塩（ｐｅｒｓｕｌｆａｔｅｓ）及び過酸化尿素（ｕｒｅａ  ｐｅｒｏｘｉｄｅ）及び金属固体状の過酸化物（ＺｎＯ２、ＭｎＯ２、ＣａＯ２）などの中から選択されたものを使用することができ、好ましくは過炭酸塩を使用したほうがよい。
【００３１】
このとき、過炭酸塩は、炭酸ナトリウムと過酸化水素の結合からなる化合物であって、高い有効酸素含量および水に対する高溶解度を有している、環境にやさしい化合物である。
【００３２】
固体状の過酸化物は、平均粒子の大きさが０．１ないし１００ｕｍの範囲内、さらに好ましくは、０．１ないし４０ｕｍの範囲内であるものを使用することが好ましい。
【００３３】
ここで、平均粒子の大きさが大きい場合は、固体状の過酸化物の含量を高めることはできるが、大きすぎる場合は、液体内の粒子沈降現象が発生して、分散性が低下し、粉末が液体内で溶解するまで長い時間を要するという問題点が発生する。
【００３４】
非水性有機溶媒は、組成物全体の化学的、物理的安定度に大きく影響するため、その選定に特に注意すべきであり、このような非水性有機溶媒の選択・使用は、本発明の技術構成上の特徴の一つである。
【００３５】
ここで、非水性有機溶媒として、水とよく混ざる有機溶媒（ｗａｔｅｒ−ｍｉｓｃｉｂｌｅ  ｓｏｌｖｅｎｔ）を使用することができるが、上述した固体状の過酸化物は、水に溶けると、分解されて酸素を発生するところ、組成物の化学的安定度に悪影響を与える。
【００３６】
したがって、本発明では、非水性有機溶媒として、水気はほとんど存在してはならず（０．５重量％未満）、有機溶媒が大気中の水をあまり吸収しないものを選択して使用することが好ましい。
【００３７】
また、本発明において使用する非水性有機溶媒は、極性が非常に低いものを選択して使用するようにする。すなわち、極性の高い溶媒は、過炭酸塩などの過酸化物を溶かす傾向があるため、エタノールやプロパノールのような極性の高い溶媒は使用しないほうがよい。
【００３８】
また、本発明において使用する非水性有機溶媒は、共に使用される他の成分らとの化学的反応があってはならず、組成物の粘度調節及びゲル化防止機能が可能な溶媒を選択しなければならない。
【００３９】
上述した条件らを満たす非水性有機溶媒として、本発明において使用できる有機溶媒を具体的に例えば、ポリアルキレングリコール、多価アルコール、アルキレングリコール、モノアルキルエーテル、アルキルエステル及びアルキルアミドから選択される１種またはそれ以上の混合物を使用することができる。
【００４０】
有機溶媒は、過酸化物が分解されないように３０ないし１００℃、さらに好ましくは４０ないし６０℃の範囲内で液状に存在して、常温では、製造された液体漂白剤の低粘度性び流れ性が保障されるべきであるため、分子量が低くて極性が低いものを使用したほうがよい。
【００４１】
特に、ポリアルキレングリコールの中でも、平均分子量が４００ないし６０００の範囲のポリエチレングリコールを使用することが望ましいし、さらに好ましくは、分子量が異なる２以上のポリエチレングリコールを混合して使用して、このとき、分子量４００ないし２０００の低分子量ポリエチレングリコールと分子量２０００ないし６０００の高分子量ポリエチレングリコールを重量比９：１ないし１：１で混合したものを使用する。
【００４２】
ここで、ポリエチレングリコールの分子量が４００未満である場合は、水分を適切に防げる役割ができず、過酸化物の分解安全性を阻害して、分子量が６０００を超える場合は、組成物の粘度が上昇して液体の流れ性を確保し難い。
【００４３】
このとき、非水性有機溶媒の使用量は、あわせて液体漂白剤組成物の重量３５ないし６０重量％であることが好ましい。
【００４４】
非水性有機溶媒の使用量が３５重量％未満である場合は、液体漂白剤の粘性が高くなり流れ性を確保することができないし、６０重量％を超える場合は、液体としての流れ性は確保されるとしても、低い粘性により過酸化物及びシリカの分散安全性を維持し難いという問題が発生する。
【００４５】
本発明では、増粘剤なしにも物理的安定度に優れたサスペンションを製造することはできるが、必要によっては、増粘剤を使用する場合より好ましい効果を得ることができる。
【００４６】
液体漂白剤組成物の成分として、増粘剤はシリカが使用されて、好ましくはフュームドシリカ（ｆｕｍｅｄ  ｓｉｌｉｃａ）として、液体漂白剤内で非水性有機溶媒に沈澱されるか凝集されない状態で安定して分散されているコロイドシリカ（ｃｏｌｌｏｉｄ  ｓｉｌｉｃａ）を生成することができる。
【００４７】
コロイドシリカは、表面積２００ｍ２／ｇであり、平均粒子の大きさが０．１ないし１００ｕｍの範囲である親水性フュームドシリカ、または表面積１００ｍ２／ｇであり、平均粒子の大きさが０．１ないし１００ｕｍの範囲である疎水性フュームシリカを使用する。
【００４８】
平均粒子の大きさが大きくなる場合は、シリカの含量を高めることはできるが、大きすぎたシリカの場合、液体内の粒子沈降現象が発生して分散性を低下させるという問題が発生する。
【００４９】
このとき、液体漂白剤組成物のうちコロイドシリカの含量は、０．１ないし５重量％であり、さらに好ましくは０．２ないし３重量％である。
【００５０】
本発明による液体漂白剤組成物として、上述した増粘剤のほか補助増粘剤をさらに含んでもよい。
【００５１】
ここで、補助増粘剤は、脂肪酸、架橋されたアクリルポリマー、カルボキシメチルセルロース、ポリビニルアルコール、ポリビニルピロリドン及びポリアクリル酸ナトリウムから選択されるいずれかである。
【００５２】
このとき、脂肪酸としては、炭素数１０ないし１８の飽和または不飽和脂肪酸の中から選択された２種以上の混合物を使用することができ、好ましくは、カプリン酸（ｃａｐｒｉｃ  ａｃｉｄ）、ラウリン酸（ｌａｕｒｉｃ  ａｃｉｄ）、ミリスチン酸（ｍｙｒｉｓｔｉｃ  ａｃｉｄ）及びパルミチン酸（ｐａｌｍｉｔｉｃ
ａｃｉｄ）のうち２種以上の混合物を使用するほうがよい。
【００５３】
また、架橋されたアクリルポリマーは、０．７５ないし１．５重量％のポリアリルスクロースで架橋されたアクリル酸ポリマーを使用してもよい。架橋されたアクリルポリマーの使用量は、０．０１ないし１．５重量％であり、好ましくは０．１ないし２重量％を使用するほうがよい。
【００５４】
原料及び製造中に導入される金属物質らは（例えば鉄、マンガン、銅、クロム等）、固体状の過酸化物の分解を促進して、最終組成物の化学的安定度を低下するためなるべく排除して、少量の成分としては、洗浄組成物のうち当業界で通常使用する成分らを含んでもよい。
【００５５】
すなわち、酸化防止剤、着色剤、蛍光増白剤、汚物沈澱防止剤、洗浄酵素及び香料のような、様々なその他少量添加剤をさらに含んでもよいし、これら使用量は０．０１ないし５重量％である。
【００５６】
上述したように、本発明の低粘度の液体漂白剤組成物は、固体状粒子らが非水性液体に分散された形態であって、過酸化水素を生成する固体状の過酸化物、水とよく混ざる有機溶媒（ｗａｔｅｒ−ｍｉｓｃｉｂｌｅ  ｓｏｌｖｅｎｔ）、固体状増粘剤（ｔｈｉｃｋｅｎｉｎｇ  ａｇｅｎｔ）であるシリカからなるものであって、長い保管時間の間、物理的・化学的に安定して使用に簡便であり、漂白力にも優れた液体漂白剤組成物を提供することができる。
【００５７】
以下では、本発明の具体的な実施例らを提示する。但し、下記に記載した実施例らは、本発明を具体的に例示するか説明するためのものに過ぎず、これをもって本発明が制限されてはならない。
【００５８】
漂白剤組成物の製造
【００５９】
実施例１
【００６０】
３ブレードプロペラ攪拌機（ｔｈｒｅｅ−ｂｌａｄｅ
ｐｒｏｐｅｌｌａｒ ａｇｉｔａｔｏｒ）と冷却装置（ｊａｃｋｅｔ）を備えた１Ｌガラス反応機でポリエチレングライコール５００ｍＬを投入した後、ポリビニルピロリドン数５ｇを添加し、完全に溶解して混合溶液を準備した。
【００６１】
次いで、混合溶液に平均直径が１０μｍであるシリカがガラス０．２重量％
(１ｇ)となるように添加して、約１時間撹拌した後、平均直径が３２ｕｍである粉末状の過炭酸ナトリウム５７０ｇを添加した後、４５分間撹拌して、液体漂白剤組成物を製造した。
【００６２】
実施例２
【００６３】
混合溶液に添加されるシリカが０．５重量％(２.５ｇ)であることを除いて、実施例１と同様に液体漂白剤組成物を製造した。
【００６４】
比較例１
【００６５】
液体漂白剤組成物の形態に提供されない、平均直径が３２ｕｍである粉末状の過炭酸ソーダを漂白剤として使用した。
【００６６】
比較例 ２
【００６７】
混合溶液にシリカを添加しない点を除いて、実施例１と同様に液体漂白剤組成物を製造した。
【００６８】
比較例３
【００６９】
混合溶液に添加されるシリカが０．１重量％(０.５ｇ)であることを除いて、実施例１と同様に液体漂白剤組成物を製造した。
【００７０】
比較例４
【００７１】
平均直径が９００ｕｍである粉末状の過炭酸ソーダを使用した点を除いて、実施例１と同様に液体漂白剤組成物を製造した。
【００７２】
漂白剤組成物の活性酸素量の測定結果
【００７３】
実施例１及び比較例１によって製造された漂白剤組成物それぞれ４０℃、８０％の湿度条件を維持するオーブンで１ヶ月間保管した後、過マンガン酸カリウム（ＫＭｎＯ４）を利用した滴定（ｔｉｔｒａｔｉｏｎ）方法で漂白剤組成物に残存する活性酸素（ａｃｔｉｖｅ  ｏｘｙｇｅｎ）の損失を計算した。残存活性酸素量の損失に対する測定結果は、下記の表１に表した。
【００７４】
【表１】
2018062661.tif 000002
【００７５】
表１の結果を参照すれば、実施例１の場合、既存に常用的に販売される粉末状漂白剤と類似する水準の残存活性酸素量を示すことを確認できた。すなわち、実施例１のように、漂白剤組成物が液状形態で長期間保管されるとしても、漂白剤として作用可能な水準の残存活性酸素量を維持できることを確認することができる。
【００７６】
また、実施例１、実施例２、比較例２、比較例３及び比較例４に従って製造された漂白剤組成物２００ｍＬをガラス容器に投入して、それぞれ常温で１週間保管した後、層分離の発生有無と共に、層分離発生地点とガラス容器の下端部における活性酸素量差を測定した。
【００７７】
【表２】
2018062661.tif 000003
【００７８】
表２の結果を参照すれば、実施例１及び実施例２の場合、層分離が発生しないにつれて、上下活性酸素量差は０．５％以下に過ぎないことを確認することができる。一方、比較例２ないし比較例４の場合、液体漂白剤組成物に層分離が生じるだけでなく、上下活性酸素量差が２％を越えることを確認することができる。
【００７９】
この場合、既存に常用的に販売される粉末状漂白剤と類似する水準の残存活性酸素量を示すことを確認することができた。すなわち、実施例１のように、漂白剤組成物が液状形態で長期間保管されるとしても、漂白剤として作用可能な水準の残存活性酸素量を維持できることを確認することができる。
【００８０】
以上、本発明の一実施例について説明したが、当該技術分野で通常の知識を有する者であれば、特許請求の範囲に記載された本発明の思想から脱しない範囲内において、構成要素の付加、変更、削除または追加などにより本発明を多様に修正及び変更することができ、これも本発明の権利範囲内に含まれる。